(57)【特許請求の範囲】
【請求項１】
通過許容乗物を一時的に受け入れるように左右を区画した一対の乗入スペースの前後に各乗入スペースの前後一方を開成し他方を閉成するように一対の乗入スペース交差方向に向けて相互に逆方向に連動してスライド開閉自在とした前後仕切体を設置し且つ上記乗入スペースにおける左右の間隔と前後仕切体の間隔を上記通過許容乗物の幅及び長さを基準として規制することによって通過許容乗物より大きな通過拒否乗物の通過を不能とした可動ゲートであって，一対の乗入スペース間にその区画用に設置した区画ボックス内長手方向中央位置に配置した径大水平にして上下２段配置駆動側のスプロケットと，区画ボックス長手方向両端位置に配置した径小水平にして同じく上下２段配置従動側のスプロケットと，これら各駆動側及び従動側一方のスプロケット間に上下段差状に巻き掛け設置した伝動チェーンと，上記前後仕切体の幅方向一連にして上記従動側他方のスプロケットとの間でラックピニオンをなすように設置したラック又はチェーンとを備え，上記駆動側のスプロケットを手動手段又は電動手段によって回転することによって上記前後仕切体の相互に逆方向の連動したスライド開閉を自在としてなることを特徴とする公園等の可動ゲート。
【請求項２】
上記駆動側のスプロケットを手動手段によって回転するとともに該手動手段を上記区画ボックス上に配置し上記スプロケットを回転自在な径大の回転ハンドルによるものとしてなることを特徴とする請求項１に記載の公園等の可動ゲート。
【請求項３】
上記区画ボックス長手方向端部にそれぞれ仕切体のスライドボックスを配置し，該スライドボックスに設置したガイドローラーにより上記前後仕切体のガイド面を案内することによって上記スライド開閉を該スライドボックスからの送り出しと引き込みによって自在としてなることを特徴とする請求項１に記載の公園等の可動ゲート。
【発明の詳細な説明】
【０００１】
【発明の属する技術分野】
本発明は，公園，遊園地，会館玄関前の敷地等，主に公共的な施設に設置して，電動車椅子等所定の乗物の通過を許容する一方，公共的な施設に有害な自動二輪車等乗物の通過を拒否しうるように使用するに好適な公園等の可動ゲートに関する。
【０００２】
【従来の技術】
この種公園等の可動ゲートとして，本発明者は特願２０００−１８４９１４号を提案済であり，これによれば，通過許容乗物を一時的に受け入れるように左右を区画した一対の乗入スペースの前後に各乗入スペースの前後一方を開成し他方を閉成するように一対の乗入スペース交差方向に向けて相互に逆方向に連動してスライド開閉自在とした前後仕切体を設置し且つ上記乗入スペースにおける左右の間隔と前後仕切体の間隔を上記通過許容乗物の幅及び長さを基準として規制することによって通過許容乗物より大きな通過拒否乗物の通過を不能としたものとし，このとき上記前後仕切体の相互に逆方向の連動したスライド開閉は，その実施形態の例示したものによれば，例えば一対の乗入スペース間にその区画用に設置した区画ボックス上に設置した径大の回転ハンドルの回転を，かさ歯車を介して回転軸に伝達し，その先端の垂直のスプロケットに，これとラックピニオンをなすように前後仕切体に設置したチェーンを噛合することによって行なうようにしたものとされる。
【０００３】
【発明が解決しようとする課題】
この場合，上記乗入スペースを一時滞留のスペースとして，電動車椅子等の通過許容乗物が，仕切体を開成している側の乗入スペースに進入し，回転ハンドルを操作することによって，進行方向に閉成している側の仕切体を開成し，乗入スペースから退出して，その通過を行い得るようにするとともに上記乗入スペースにおける左右の間隔及び前後仕切体の間隔によって，例えば通過許容乗物と幅が同等又は狭くても，長さの長い，例えば自動二輪車等の通過拒否乗物が乗入スペース内に一時的に進入しても，前後仕切体のスライド開閉時に，その閉成する側の前後仕切体が通過拒否乗物に接触し，そのスライド開閉を中間位置で不能として，その通過を拒否することによって，通過許容乗物と通過拒否乗物をその幅及び／又は長さによって識別して通過拒否乗物の通過を阻止する公園等の可動ゲートを提供することが可能となる。
【０００４】
しかし乍ら，上記かさ歯車，回転軸等を用いることによって前後仕切体の上記スライド開閉を行なうようにするのは，確実な作動を得られる一方で，スライド開閉のための機構が複雑化する傾向があるとともにコストが上昇する傾向があり，この種公共性を有する商品としてなお改善を施す必要がある。
【０００５】
本発明はかかる事情に鑑みてなされたもので，その解決課題とするところは，前後仕切体の連動したスライド開閉のための機構を可及的に簡易にして低コストのものとするとともに良好な使い勝手を確保しながら前後仕切体のスライド開閉を安定且つ確実になし得るようにして，通過許容乗物と通過拒否乗物をその幅及び／又は長さによって識別して通過拒否乗物の通過を阻止する公園等の可動ゲートを提供するにある。
【０００６】
【課題を解決するための手段】
上記課題に沿って本発明は，手動乃至電動手段によって区画ボックス長手方向中央位置に設置した駆動側の水平径大にして上下２段配置のスプロケットを回転し，チェーンを介して区画ボックス長手方向両端位置の水平径小にして同じく上下２段配置一方のスプロケットを回転するとともに，該両端他方のスプロケットとラックピニオンをなすように前後仕切体に設置したチェーン，ラック等を進退するようにして，機構の簡素化，コストの低減を可能とするともに使い勝手を確保しながら前後仕切体のスライド開閉を安定且つ確実になし得るようにしたものであって，即ち請求項１に記載の発明を，通過許容乗物を一時的に受け入れるように左右を区画した一対の乗入スペースの前後に各乗入スペースの前後一方を開成し他方を閉成するように一対の乗入スペース交差方向に向けて相互に逆方向に連動してスライド開閉自在とした前後仕切体を設置し且つ上記乗入スペースにおける左右の間隔と前後仕切体の間隔を上記通過許容乗物の幅及び長さを基準として規制することによって通過許容乗物より大きな通過拒否乗物の通過を不能とした可動ゲートであって，一対の乗入スペース間にその区画用に設置した区画ボックス内長手方向中央位置に配置した径大水平にして上下２段配置駆動側のスプロケットと，区画ボックス長手方向両端位置に配置した径小水平にして同じく上下２段配置従動側のスプロケットと，これら各駆動側及び従動側一方のスプロケット間に上下段差状に巻き掛け設置した伝動チェーンと，上記前後仕切体の幅方向一連にして上記従動側他方のスプロケットとの間でラックピニオンをなすように設置したラック又はチェーンとを備え，上記駆動側のスプロケットを手動手段又は電動手段によって回転することによって上記前後仕切体の相互に逆方向の連動したスライド開閉を自在としてなることを特徴とする公園等の可動ゲートとしたものである。
【０００７】
請求項２に記載の発明は，上記に加えて，設置コスト及び維持コストを可及的に減少し，故障のない確実な駆動をなし得るものとするように，これを，上記駆動側のスプロケットを手動手段によって回転するとともに該手動手段を上記区画ボックス上に配置し上記スプロケットを回転自在な径大の回転ハンドルによるものとしてなることを特徴とする請求項１に記載の公園等の可動ゲートとしたものである。
【０００８】
請求項３に記載の発明は，同じく上記に加えて，前後仕切体のスライド開閉を，区画ボックスの端部に設置したスライドボックスからの送り出しと引き込みによって行なうことによって安定且つ確実になし得るものとするように，これを，上記区画ボックス長手方向端部にそれぞれ仕切体のスライドボックスを配置し，該スライドボックスに設置したガイドローラーにより上記前後仕切体のガイド面を案内することによって上記スライド開閉を該スライドボックスからの送り出しと引き込みによって自在としてなることを特徴とする請求項１に記載の公園等の可動ゲートとしたものである。
【０００９】
本発明はこれらをそれぞれ発明の要旨として，上記課題解決の手段としたものである。
【００１０】
【発明の実施の形態】
以下図面の例に従って本発明を更に具体的に説明すると，Ａは可動ゲート，Ｂは通過許容乗物，Ｃは通過拒否乗物であり，可動ゲートＡは，通過許容乗物Ｂを一時的に受け入れるように左右を区画した一対の乗入スペース１の前後に各乗入スペース１の前後一方を開成し他方を閉成するように一対の乗入スペース１交差方向に向けて相互に逆方向に連動してスライド開閉自在とした前後仕切体５を設置し且つ上記乗入スペース１における左右の間隔と前後仕切体５の間隔を上記通過許容乗物Ｂの幅及び長さを基準として規制することによって通過許容乗物Ｂより大きな通過拒否乗物Ｃの通過を不能としたものとしてあり，このとき一対の乗入スペース１間には，その区画用に区画ボックス２を設置し，また本例にあって該区画ボックス２長手方向端部にそれぞれ仕切体５のスライドボックス３を配置したものとしてある。
【００１１】
即ち本例にあって可動ゲートＡは，幅方向中央位置に前後に長い区画ボックス２を，該区画ボックス２の前後両端にスライドボックス３をそれぞれ配置し，該各スライドボックス３に幅方向スライド開閉自在に前後仕切体５を備えたものとし，例えば公園の入口に設置し，その幅方向両端に花壇，仕切用壁面等の端部仕切７を現場施工し，またサイドガード等の端部仕切７を設置することによって，上記区画ボックス２で中央を画した一対の乗入スペース１の幅方向両端を画するように用いるものとしてあり，通過許容乗物Ｂが，仕切体５が開成している側左右一方の乗入スペース１に進入し，これに一時的に滞留して，前後仕切体５をスライド開閉することによって，閉成している進行方向の仕切体５を開成し，該乗入スペース１から退出して，その通過を行うようにしてあり，このとき中央の区画ボックス２と両端の端部仕切７及び前後仕切体５によって仕切られる乗入スペース１の縦横寸法を，上記通過許容乗物Ｂの幅及び長さに応じたものとすることによって，通過許容乗物Ｂの通過を許容するも，これより幅及び／又は長さの大きな通過拒否乗物Ｃが乗入スペース１に進入しても，スライド開閉によって前後仕切体５がこれに当り，進行方向の仕切体５の開成をなし得ないようにすることによって，通過許容乗物と通過拒否乗物をその幅及び／又は長さによって識別して通過拒否乗物の通過を阻止し得るものとしてある。
【００１２】
本例にあって通過許容乗物Ｂは，例えば，一般に幅６５ｃｍ，長さ１．２ｍを標準とする四輪の電動車椅子とし，通過拒否乗物Ｃは，例えば幅４０ｃｍ（ハンドル幅６５ｃｍ），長さ１．６ｍの自動二輪車と設定して，可動ゲートＡの乗入スペース１は，上記電動車椅子の通過許容乗物Ｂの進入と退出とを余裕をもってなし得るように，これを幅９０ｃｍ，長さ１．５ｍとしてあり，これによって主に長さによって上記識別と通過の許容又は拒否を行なうようにしてある。
【００１３】
このとき可動ゲートＡは，一対の乗入スペース間の区画ボックス２内長手方向中央位置に配置した径大水平にして上下２段配置駆動側のスプロケット９と，区画ボックス２長手方向両端位置に配置した径小水平にして同じく上下２段配置従動側のスプロケット１０と，これら各駆動側及び従動側一方のスプロケット９，１０間に上下段差状に巻き掛け設置した伝動チェーン１１と，上記前後仕切体５の幅方向一連にして上記従動側他方のスプロケット１０との間でラックピニオンをなすように設置したラック又はチェーン，本例にあってはローラーチェーン１３とを備え，上記駆動側のスプロケット９を手動手段又は電動手段によって回転することによって上記前後仕切体５の相互に逆方向の連動したスライド開閉を自在としたものとし，本例にあって上記駆動側のスプロケット９は，これを手動手段によって回転するとともに該手動手段を上記区画ボックス２上に配置し上記スプロケット９を回転自在な径大の回転ハンドル８によるものとしてある。
【００１４】
即ち駆動側のスプロケット９及び従動側のスプロケット１０はそれぞれ上下２段配置の一体のものとし，駆動側のスプロケット９の双方と従動側のスプロケット１０一方との間に伝動チェーン１１を上下段差状に巻き掛け設置することによって，上記仕切体５が開成している側左右一方の乗入スペース１に進入した通過許容乗物Ｂの人が右手乃至左手で上記回転ハンドル８を回転操作して駆動側のスプロケット９を回転させ，該駆動側のスプロケット９の回転に伴いこれに一端を噛合した各伝動チェーン１１を逆方向に向けて回転させ，これによって上下２段の従動側のスプロケット１０を区画ボックス２両端で相互に逆方向に回転させるようにして，該従動側他方に噛合したローラーチェーン１３を進退し，該ローラーチェーン１３を設置した前後仕切体５を，一対の乗入スペース１交差方向に向けて相互に逆方向に連動してスライド開閉するようにしてある。
【００１５】
上記区画ボックス２長手方向端部に配置したスライドボックス３は，これに設置したガイドローラー１４により上記前後仕切体５のガイド面を案内することによって上記スライド開閉を該スライドボックス３からの送り出しと引き込みによって自在としたものとしてあり，本例にあって該スライドボックス３は，一対の乗入スペース１側に面した両側に開口を備え，該開口から前後仕切体５を出入自在とし，その内側に前後を対とするガイドローラー１４を対向方向に４５度の角度をなすように傾斜配置し，該ガイドローラー１４を前後仕切体５の，本例において上下框に上下対向方向にＶ字状の直角面をなすように突出設置した傾斜ガイド面１６に対接し，これを案内することによって，上記従動側のスプロケット１０の回転によって前後仕切体５を送り出し又は引き込みするようにその進退を行なうようにしてあり，このとき本例の上記ガイドローラー１４は，スライドボックス３にそれぞれ上下左右の４ヶ所設置し，前後を対とするガイドローラー１４を上下に配置することによって前後仕切体５の上下框の上記傾斜ガイド面１６を突っ張り状に支持するとともにこれを左右に配置することによって該突っ張り状の支持を左右で確実に行なうようにして前後仕切体５の揺動を防止した状態でその送り出しと引き込みの直進性を確保するものとしてあり，これによって本例の前後仕切体５は，ノンレール用の戸車乃至キャスター６によって，ガイドレールを使用することなく安定してその進退を行なうようにしてある。
【００１６】
図中４は区画ボックス２乃至スライドボックス３のアンカー固定用の固定板，１２は伝動チェーン１１の弛み防止用のテンショナーを示す。
【００１７】
図示した例は以上のとおりとしたが，前後仕切体の連動するスライド開閉を，スイッチやセンサーと，これによって作動するモーター駆動の電動手段とすること，前後仕切体に上記従動側他方のスプロケットとの間でラックピニオンをなすように設置した上記チェーンに代えて板状に形成したラックを用いること等を含めて，本発明の実施に当って，通過許容乗物，通過拒否乗物，乗入スペース，前後仕切体，区画ボックス，スプロケット，伝動チェーン，ラック又はチェーン，手動手段又は電動手段，必要に応じて使用する回転ハンドル，スライドボックス，そのガイドローラー等の各具体的構造，形状，材質，数，寸法，これらの関係，これらに対する付加等は，上記発明の要旨に反しない限り様々な形態のものとすることができる。
【００１８】
【発明の効果】
本発明は以上のとおりに構成したから，請求項１に記載の発明は，前後仕切体の連動したスライド開閉のための機構を可及的に簡易にして低コストのものとするとともに良好な使い勝手を確保しながら前後仕切体のスライド開閉を安定且つ確実になし得るようにして，通過許容乗物と通過拒否乗物をその幅及び／又は長さによって識別して通過拒否乗物の通過を阻止する公園等の可動ゲートを提供することができる。
【００１９】
請求項２に記載の発明は，上記に加えて，設置コスト及び維持コストを可及的に減少し，故障のない確実な駆動をなし得るものとすることができる。
【００２０】
請求項３に記載の発明は，同じく上記に加えて，前後仕切体のスライド開閉を，区画ボックスの端部に設置したスライドボックスからの送り出しと引き込みによって行なうことによって安定且つ確実になし得るものとすることができる。
【図面の簡単な説明】
【図１】可動ゲートの構造を示す区画ボックスの上板を外した状態の平面図である。
【図２】可動ゲートの構造を示す区画ボックスの側板を外した状態の側面図である。
【図３】可動ゲートの仕切体とスライドボックスの関係を示すスライドボックスの正面板を外した状態の正面図である。
【符号の説明】
Ａ  可動ゲート
Ｂ  通過許容乗物
Ｃ  通過拒否乗物
１  乗入スペース
２  区画ボックス
３  スライドボックス
５  前後仕切体
８  回転ハンドル
９  スプロケット
１０  スプロケット
１１  伝動チェーン
１３  ローラーチェーン
１４  ガイドローラー
【図１】
0004162871.tif 000002
【図２】
0004162871.tif 000003
【図３】
0004162871.tif 000004